(57)【要約】【課題】コンピュータを利用して自己の目標を意識化させ、かつ、その意志・意欲を持続させることにより、自己が設定した目標の達成を支援させることができる目標達成支援システムの提供。【解決手段】ユーザが所持するユーザ端末を用いてサーバにアクセスしサーバのユーザ専用のホームページ上で自己の目標を作成し、作成した目標をユーザの潜在意識に浸透させそれを活性化させるためのプログラムを作成し、作成された潜在意識活性化プログラムをユーザ端末にダウンロードして壁紙やスクリーンセイバーとして設定する。【選択図】    図２
2004178260.tif 000002
【特許請求の範囲】
【請求項１】
ユーザが使用する情報処理端末とサーバとが接続され、通信ネットワーク環境下で前記ユーザが立てた目標を達成するための目標達成支援システムであって、
前記サーバは、前記ユーザのユーザ登録を行うユーザ登録部と、
前記ユーザ登録部に登録されたユーザの個人情報を記憶するユーザ情報データベースと、
前記ユーザの前記目標の作成およびその達成を支援する目標達成支援部と、
を備えていることを特徴とする目標達成支援システム。
【請求項２】
前記目標達成支援部は、前記ユーザが自分の目標を作成する目標作成部と、前記目標作成部で作成された前記ユーザの目標を診断して目標の立て方をアドバイスし作成させる診断部と、前記目標作成部および／あるいは前記診断部の診断により作成された目標をユーザの潜在意識に浸透させそれを活性化させるためのプログラムを作成する潜在意識活性化プログラム作成部と、を備えていることを特徴とする請求項１に記載の目標達成支援システム。
【請求項３】
ユーザが所持するユーザ端末を用いてサーバにアクセスし前記サーバの前記ユーザ専用のホームページ上で自己の目標を作成する目標作成ステップと、
前記作成した目標を前記ユーザの潜在意識に浸透させそれを活性化させるためのプログラムを作成する潜在意識活性化プログラム作成ステップと、
前記作成された潜在意識活性化プログラムを前記ユーザの前記ユーザ端末にダウンロードして壁紙および／あるいはスクリーンセイバーとして設定する壁紙・スクリーンセイバー設定ステップと、
を備えていることを特徴とする目標達成支援システム。
【請求項４】
前記目標作成ステップは、前記目標に関する絵や写真などの画像を前記ホームページ上でビジュアル化させるビジュアル化ステップを含むことを特徴とする請求項３に記載の目標達成支援システム。
【請求項５】
前記目標達成支援システムは、更に、目標の立て方や達成に至るまでについての各種問題点等の解決方法等について経験に基づく知識やノウハウを有するアドバイザーから前記目標を立てる際のアドバイスを受けるステップを含むことを特徴とする請求項３または４に記載の目標達成支援システム。
【発明の詳細な説明】
【０００１】
【発明の属する技術分野】
本発明は、目標達成支援システムに関し、特に、コンピュータを利用して自己の目標を意識化させ、かつ、その意志・意欲をコンピュータを利用して持続させることにより、自己が設定した目的の達成を支援させることを図った目的達成支援システムに関する。
【０００２】
【従来の技術】
例えば、ある学校（小学校、中学校、高校、大学）に入学したい、ある試験に合格したい、外国語を身に付けたい、海外に留学したい、○○歳までに家を持ちたい、○月までに○○○万円の売上を達成したい等々、個人・会社を問わず様々な目標がある。
【０００３】
ところが、とかく人間は、日常の生活あるいは日常の仕事の中で、このような目標を達成させることを忘れがちになる。忘れないようにするために、例えば、その目標を記載したものを壁等に貼ってビジュアル化させ、常に目標を意識させるようにする工夫もなされている。実際、例えば、ある営業所では、売上目標を記載した横断幕を掲げて社員の意識付けを行ったり、売上目標とその達成率をグラフにして掲示したり、目標達成に向けての励ましの言葉等を掲示したり、目標を達成した場合に祝福の言葉等を掲示したりして、売上目標に対する意識付けを行っている、という。
【０００４】
一方、最近のパーソナルコンピュータ（以下、単に「コンピュータ」という）の飛躍的な普及により、家庭だけでなく会社でもコンピュータが仕事に利用されるようになってきている。まさに、一人に一台の時代となってきているといっても過言ではない。このため、一日２４時間のうち、睡眠時間を除いて少なくとも８時間近くは常にコンピュータに向かい合う場合も珍しくない状況である。
【０００５】
そうすると、この常に向かい合っているコンピュータを利用して、目標を意識化させるようにすると効果的であることが考えられる。このようなコンピュータを利用して目標を達成させるための目標達成支援システムを提案したものとして、例えば、特開平１０−２２８２２８号公報（特許文献１）に示されるようなものがある。
【０００６】
この特許文献１では、コンピュータ等で使用する学習ソフトウェアに組み込まれ、この学習ソフトウェアの動作中に、学習目標を達成するために支援する予め作成されていた画像（イメージ、パターン、写真、絵、背景、背景色、文字、模様を含む）や音（音声、音楽を含む）を、繰り返し発生手段によって、所定の時間、一定間隔あるいはランダムに発生させるシステムが提案されている。このシステムによれば、学習ソフトウェアを使用して学習を行っている間に、画像および／または音によって、知らず知らずにそれとなく目標を達成するための意志を芽生えさせることができる。
【０００７】
【特許文献１】
特開平１０−２２８２２８号公報（第２−９頁、図１）
【０００８】
【発明が解決しようとする課題】
しかしながら、従来の目標達成支援システムによれば、画像や音によって目標を達成するための意志・意欲を芽生えさせることができるが、なかなかその意志・意欲を持続させることが難しいという問題があった。その原因の１つとしては、目標を立てる際に、目標の立て方が抽象的あるいは不明確であったり、目標の達成に至るまでに、経験者等外部からの客観的で適切なアドバイスが受けられなかったりしたために、目標達成の意志・意欲が持続させ難いということが考えられる。
【０００９】
従って、本発明の目的は、コンピュータを利用して自己の目標を意識化させ、かつ、その意志・意欲を持続させることにより、自己が設定した目標の達成を支援させることができる目標達成支援システムを提供することにある。
【００１０】
【課題を解決するための手段】
本発明は、上記の目的を達成するために、ユーザが使用する情報処理端末とサーバとが接続され、通信ネットワーク環境下で前記ユーザが立てた目標を達成するための目標達成支援システムであって、前記サーバは、前記ユーザのユーザ登録を行うユーザ登録部と、前記ユーザ登録部に登録されたユーザの個人情報を記憶するユーザ情報データベースと、前記ユーザの前記目標の作成およびその達成を支援する目標達成支援部と、を備えていることを特徴とする目標達成支援システムを提供するものである。
【００１１】
以上の構成において、前記目標達成支援部は、前記ユーザが自分の目標を作成する目標作成部と、前記目標作成部で作成された前記ユーザの目標を診断して目標の立て方をアドバイスし作成させる診断部と、前記目標作成部および／あるいは前記診断部の診断により作成された目標をユーザの潜在意識に浸透させそれを活性化させるためのプログラムを作成する潜在意識活性化プログラム作成部と、を備えていることが望ましい。
【００１２】
また、本発明は、上記の目的を達成するために、ユーザが所持するユーザ端末を用いてサーバにアクセスし前記サーバの前記ユーザ専用のホームページ上で自己の目標を作成する目標作成ステップと、前記作成した目標を前記ユーザの潜在意識に浸透させそれを活性化させるためのプログラムを作成する潜在意識活性化プログラム作成ステップと、前記作成された潜在意識活性化プログラムを前記ユーザの前記ユーザ端末にダウンロードして壁紙および／あるいはスクリーンセイバーとして設定する壁紙・スクリーンセイバー設定ステップと、を備えていることを特徴とする目標達成支援システムを提供するものである。
【００１３】
この場合、前記目標作成ステップは、前記目標に関する絵や写真などの画像を前記ホームページ上でビジュアル化させるビジュアル化ステップを含むことが望ましい。
【００１４】
また、前記目標達成支援システムは、更に、目標の立て方や達成に至るまでについての各種問題点等の解決方法等について経験に基づく知識やノウハウを有するアドバイザーから前記目標を立てる際のアドバイスを受けるステップを含むことが望ましい。
【００１５】
【発明の実施の形態】
以下、添付図面を参照しながら、本発明の実施の形態を詳細に説明する。
図１は、本発明の実施の形態による目標達成支援システムの全体構成を示すブロック図である。なお、この目標達成支援システムは、本出願人がインターネット等の通信ネットワーク環境下において運営する「３ＫＭ」と呼ばれる目標達成のためのアドバイスサービスのシステムであり、ここで、「３ＫＭ」とは、「個人」（Ｋｏｊｉｎ）、「家庭」（Ｋａｔｅｉ）、「会社」（Ｋａｉｓｈａ）の頭文字である３つの「Ｋ」と、一人ひとりが目標（Ｍａｒｋ）を持ち、それらを自ら管理（Ｍａｎａｇｅｍｅｎｔ）し、実現に向けて意欲を引き出すこと（Ｍｏｔｉｖａｔｉｏｎ）の頭文字の３つの「Ｍ」を意味する。
【００１６】
このシステムを実現するために、図１に示すように、インターネット等の通信ネットワーク１００に、ユーザが使用する情報処理端末（以下、「ユーザ端末」という）１０１〜１０ｎと、本出願人が運用するシステム運用サーバ２０と、が接続される構成をとる。本発明では、ユーザが所持するユーザ端末１０１〜１０ｎを用いて、システム運用サーバ２０にアクセスし、ユーザ専用のホームページ上で自己の目標を作成し、作成した目標をそのホームページ上でビジュアル化させ、必要に応じてアドバイザーから目標を立てる際のアドバイスを受ける。
【００１７】
ここで、ユーザ端末１０１〜１０ｎは、インターネット上の各種サーバにアクセスできるＷＷＷブラウザを搭載したパーソナルコンピュータ（以下、単に「コンピュータ」ともいう）であり、それがデスクトップ形式のものであるかモバイル形式のものであるかを問わない。なお、ユーザ端末１０１〜１０ｎとしては、ＷＷＷブラウジング機能を有するものであればいずれでもよく、ＷＷＷブラウザを搭載した携帯電話機、ＷＷＷブラウザを搭載したＰＤＡなどであってもよい。
【００１８】
システム運用サーバ２０は、図２に示すように、このサービスの提供を受けるユーザの登録を行うユーザ登録部２１と、ユーザ登録部２１に登録されたユーザの個人情報を記憶するユーザ情報データベース２２と、各ユーザの３ＫＭの目標作成およびその達成を支援する目標達成支援部２３と、から構成されている。
【００１９】
以上の構成において、ユーザ登録部２１は、ユーザ登録に際してユーザの個人情報を入力するためのユーザ登録用画面を提供する。ユーザ登録用画面の所定箇所に個人情報が入力されると、後述するように、ユーザ情報データベース２２にそのユーザ用のユーザ情報ファイル２２１〜２２ｎを作成し、このユーザ情報ファイル２２１〜２２ｎにユーザＩＤと個人情報とを関連付けて記録する。なお、ユーザが登録用画面において入力する個人情報は、例えば、ユーザの氏名、電子メールアドレス、ユーザが決めたパスワード、住所、性別、生年月日、電話番号、郵便番号、勤務先の住所や電話番号等の基本的な情報である。
【００２０】
ユーザ情報データベース２２は、前述したようにユーザ登録を行ったユーザの個人情報を記憶するものであり、ユーザ毎に、ユーザ情報ファイル２２１〜２２ｎが作成される。各ユーザ情報ファイル２２１〜２２ｎには、前述したユーザの氏名、電子メールアドレス、ユーザが決めたパスワード、住所、性別、生年月日、電話番号、郵便番号、勤務先の住所や電話番号等の基本的な情報および後述する目標達成支援部２３で作成した各ユーザの目標等のデータや通信履歴等の履歴情報が記憶されている。
【００２１】
目標達成支援部２３は、ユーザが自分の人生の目標を含む３ＫＭを作成する目標作成部２３１と、目標作成部２３１で作成されたユーザの３ＫＭを診断して目標の立て方をアドバイスし作成させる３ＫＭ診断部２３２と、目標作成部２３１および／あるいは３ＫＭ診断部２３２の診断により作成された３ＫＭをユーザの潜在意識に浸透させそれを活性化させるためのプログラムを作成する潜在意識活性化プログラム作成部２３３と、を備えている。
【００２２】
この構成において、目標作成部２３１は、「ありたい自分の姿」とそのための「行動計画」を文字で作成し、この「ありたい自分の姿」や「行動計画」あるいは願望などを、目で見てわかるように絵や写真等で作成しビジュアライズ化させるものである。このプログラムでは、文字で作成するものを、「生涯幸福設計シート」と称し、絵や写真等で作成するものを「ビジュアライズ」と称しているが、いずれも作成することができ、あるいは、いずれかのみを作成してもよいものである。なお、原則として、「生涯幸福設計シート」で作成された目標は非公開であるが、後述するアドバイザーに目標の内容を公開し、３ＫＭ診断を行ってアドバイスを受けることもできる。
【００２３】
３ＫＭ診断部２３２では、前述したように、ユーザが公開した内容に基づき、ユーザの要求に応じアドバイザーが目標の立て方等をアドバイスする。ここでアドバイザーとは、目標の立て方や達成に至るまでについての各種問題点等の解決方法等について経験に基づく知識やノウハウを有する複数の者をいう。このアドバイザーは、本出願人が運用するシステム運用サーバ２０に接続される端末（図示せず）を有し、ユーザがインターネット上で公開した内容をこの端末で閲覧し、ユーザの要求に応じて目標の立て方等をアドバイスする。
【００２４】
潜在意識活性化プログラム作成部２３３は、前述したように、目標作成部２３１および／あるいは３ＫＭ診断部２３２の診断により作成された３ＫＭをユーザの潜在意識に浸透させそれを活性化させるためのプログラムを作成するものである。このプログラムは、いわゆるサブリミナル効果を利用したものである。即ち、ユーザの潜在意識に目標を浸透させるために、意識に上らない程度に、間欠的に、瞬間、ある種の画像を提示することで、挿入画像に応じた生理的、心理的要求あるいは状態を促進させるようにしている。
【００２５】
ユーザは、このシステムのサービスを受けるために、システム運用サーバ２０においてユーザ登録を行う。システム運用サーバ２０のトップページ（図示せず）には、ユーザになるためのユーザ登録を行うことを要求するためのユーザ登録要求メニューや、種々のコンテンツの閲覧を要求するメニューが含まれている。システム運用サーバ２０は、ユーザ登録選択メニューが選択されたときは、ユーザ登録のためにそのユーザの個人情報を入力させ、ユーザの個人情報が入力されたら、ユーザ情報ファイル２２１〜２２ｎに記録する。また、コンテンツ要求メニューが選択されたときは、そのユーザに種々のコンテンツ要求メニューの選択を許可する。
【００２６】
以下、このシステムにおける動作を、図３〜図１９を参照しながら説明する。システム運用サーバ２０、ユーザ端末１０１〜１０ｎからアクセスを受けると、まず、図３に示すような申込メニューを有するトップページを、ユーザ端末１０１〜１０ｎに送信して表示させる。なお、以下の説明では、個人における本システムの利用例について述べることにする。
【００２７】
このトップページ上で、「個人」の申込が選択されると、図４に示すように、ユーザ登録要求メニューが表示される。このユーザ登録要求メニューが選択されると、システム運用サーバ２０は、ユーザ登録部２１により、図５に示すようなユーザ登録用画面をユーザ端末に送信して表示させる。このユーザ登録用画面上で、ユーザの氏名、電子メールアドレス、ユーザが決めたパスワード、住所、性別、生年月日、電話番号、郵便番号、勤務先の住所や電話番号等の基本的な情報を入力し、申込確認ボタンが押されたら、申込内容を確認する申込確認画面をユーザ端末１０１〜１０ｎに送信する。ユーザ登録部９は、ユーザ情報ファイル２２１〜２２ｎを作成し、そのユーザ情報ファイル２２１〜２２ｎに、入力された個人情報を記録するとともに、図６に示すように、各ユーザに申込まれたことを確認するための通知を電子メールで送信し、前述したユーザが決めたパスワードを入力させて登録を完了し、図７に示すように、このシステムのサービスを利用するためのユーザＩＤを画面上に表示するとともに、図８に示すように、電子メールでユーザにそのユーザＩＤを通知する。ユーザは、この通知を受けて初めて本システムによるサービスを受けられるようになる。
【００２８】
ユーザＩＤの通知を受けたユーザは、本システムによるサービスを受けるために、図９に示すログイン画面で前述のユーザＩＤとパスワードを入力し、入力後、「ログインボタン」をクリックして入力内容をシステム運用サーバ２０に送信する。
【００２９】
システム運用サーバ２０は、これを受信すると、図１０に示すように、目標達成支援部２３のメニュー画面をユーザ端末１０１〜１０ｎに送信する。この目標達成支援部２３のメニュー画面には、▲１▼「生涯幸福設計シート」と▲２▼「ビジュアライズ」と▲３▼「３ＫＭ診断」と▲４▼「サブリミナル・スティミュレイター」の選択メニューが用意されている。
【００３０】
▲１▼「生涯幸福設計シート」と▲２▼「ビジュアライズ」は目標作成部２３１を構成するものであり、この▲１▼「生涯幸福設計シート」では、ありたい自分の姿とそのための行動計画あるいは願望などを文字で作成し、▲２▼「ビジュアライズ」では、このありたい自分の姿や行動計画あるいは願望などを目で見てわかるように絵や写真等で作成しビジュアライズ化させる。これらは、いずれも作成することができ、あるいは、いずれかのみを作成してもよい。この「生涯幸福設計シート」で作成された目標は、原則として非公開であるが、後述するアドバイザーに目標の内容を公開し、３ＫＭ診断を行ってアドバイスを受けることもできる。
【００３１】
▲３▼「３ＫＭ診断」は、３ＫＭ診断部２３２を構成するものであり、ユーザが公開した内容に基づき、ユーザの要求に応じアドバイザーが目標の立て方等をアドバイスする。
【００３２】
▲４▼「サブリミナル・スティミュレイター」は、潜在意識活性化プログラム作成部２３３を構成するものであり、目標作成部２３１の▲１▼「生涯幸福設計シート」および／あるいは▲２▼「ビジュアライズ」、そして３ＫＭ診断部２３２の▲３▼「３ＫＭ診断」での診断により作成された３ＫＭをユーザの潜在意識に浸透させそれを活性化させるためのサブリミナル効果を利用したプログラムを作成する。
【００３３】
図１１は、以上で述べた目標作成部２３１における▲１▼「生涯幸福設計シート」の作成手順を示す図である。図に示すように、「作成する」のリンクをクリックすると、空欄の「生涯幸福設計シート」の画面がユーザ端末１０１〜１０ｎに表示される。この「生涯幸福設計シート」画面の空欄部分に、例えば、ありたい自分の姿とそのための行動計画等を入力する。なお、この画面には、それ以外に、この生涯幸福設計シートの作成年度を選択する欄、目標達成時に達成した目標欄にチェックマークを入れるチェック欄、１年後、３年後、２０年後あるいは３０年後など目標とする任意の時期的期限を入力する欄、ユーザ本人の氏名・年齢あるいは配偶者等の氏名・年齢を入力する欄あるいはアドバイザーに作成した目標の内容を公開するか否かを選択する欄等も表示され、入力・選択が可能なようになっている。入力が完了した場合には、登録ボタンをクリックして入力した内容をシステム運用サーバ２０に送信する。
【００３４】
図１２は、以上で述べた目標作成部２３１における▲２▼「ビジュアライズ」の作成手順を示す図である。図に示すように、「作成する」のリンクをクリックすると、空欄の「ビジュアライズ」の画面が表示される。この「ビジュアライズ」の画面には、個人、家庭、会社およびフリースペースの欄が設けられており、この欄にユーザ端末１０１〜１０ｎで作成したありたい姿や願望等を絵や写真等でイメージ化したＧＩＦ画像やＪＰＥＧ画像を貼り付ける。その後、登録ボタンをクリックして貼り付けた画像をシステム運用サーバ２０に送信する。
【００３５】
図１３は、以上で述べた３ＫＭ診断部２３２における▲３▼「３ＫＭ診断」においてアドバイザーにアドバイスを受けるための利用方法を示す図である。図に示すように、「作成する」のリンクをクリックすると、題名欄とコメント欄が空欄の「３ＫＭ診断」の画面が表示される。この「３ＫＭ診断」画面には、おなまえの欄に既にユーザの氏名が表示されており、題名欄とコメント欄が空欄に電子メールの作成要領で題名を入力し、また、コメント欄にコメントを入力する。このコメントの欄には、目標作成部２３１の目標の作成に際して生じた疑問点や目標の立て方がわからなかったりした場合のアドバイザーへの質問等が入力される。入力後、登録ボタンをクリックして入力した内容をシステム運用サーバ２０に送信し、アドバイザーに診断を依頼する。
【００３６】
図１４は、入力されたアドバイザーへの質問等に対するアドバイザーからの診断結果の通知を示す図である。図に示すように、質問等を受けたアドバイザーから、診断結果が通知される。この通知は、「３ＫＭ診断」画面と同様の画面構成で行われる。なお、アドバイザーは、ユーザからの質問等に対する診断をするにあたって、図１５に示すように、ユーザ情報ファイル２２１〜２２ｎに記録されている当該ユーザの個人情報を閲覧し、ユーザに最も適したアドバイスを行えるようにしている。
【００３７】
以上で説明した目標の作成や画像の貼付（必要に応じて、３ＫＭの診断）が完了し、図１０で示した▲４▼「サブリミナル・スティミュレイター」の項目をクリックすると、潜在意識活性化プログラム作成部２３３において、作成した文字による目標や貼付された画像によるサブリミナル効果を利用した壁紙とスクリーンセイバーのプログラムが作成される。
【００３８】
図１６は、この「サブリミナル・スティミュレイター」で作成されたプログラムのユーザ端末１０１〜１０ｎへのインストールの操作手順を示す図である。図に示すように、プログラムが作成されると、システム運用サーバ２０は、ユーザ端末１０１〜１０ｎにプログラムが作成された旨を電子メールで通知し、ユーザに対してこの電子メールで通知されたシステム運用サーバ２０の指定のＵＲＬにアクセスして当該プログラムをダウンロードするように求める。ユーザ端末１０１〜１０ｎからこのＵＲＬにアクセスすると、ダウンロードすべきプログラムが用意されており、所定のダウンロード手順によってユーザ端末１０１〜１０ｎにダウンロードする。そして、ダウンロードしたプログラムをインストールウィザードの指示に従いユーザ端末１０１〜１０ｎにインストールする。
【００３９】
図１７〜図１９は、インストールされたこのプログラムを起動させた際の画面構成例を示す図であり、図１７はその概念図、図１８は壁紙の設定方法を説明する図、図１９はスクリーンセイバーの設定方法を説明する図である。図１８に示すように、インストールされたプログラムに基づき壁紙設定手順によって壁紙を設定すると、「ビジュアライズ」で登録した絵や写真等の画像が壁紙として表示される。なお、図１９に示すように、この壁紙の画像を時間により画面が変わるように設定することができる。また、「生涯幸福設計シート」で作成した目標は、図１９に示すように、インストールされたプログラムに基づきスクリーンセイバー設定手順によって設定すると、表示すべき目標がスクリーンセイバーとして表示される。なお、スクリーンセイバーでは、目標をユーザの潜在意識に浸透させるために、表示すべき目標をランダムに表示するように設定されている。
【００４０】
なお、このシステムでは、単に目標を作成しそれをダウンロードして表示させるシステムを提供するだけでなく、ユーザが設定した目標を達成するまでに生じる様々な問題を解決するためのサポートも行っている。その場合、ユーザは、システム運用サーバ２０のホームページにアクセスし、前述したユーザＩＤやパスワードを使用してアドバイザー等に質問することができる。
【００４１】
以上説明したように、ユーザが通信ネットワーク環境下で目標を立てることができ、またその際にアドバイザーからの適切なアドバイスを受けることができ、更には、作成した目標をユーザ端末にダウンロードしてサブリミナル効果を利用しながら表示させるようにし、必要に応じて目標を達成するまでに生じる様々な問題を解決するためにシステム側でユーザをサポートできるようにしたので、ユーザの目標達成の意志・意欲を長期間持続させることができる。その結果、ユーザが設定した目標の達成を支援させることができる。
【００４２】
なお、上記の例では、個人がこのシステムを利用する例をもって説明したが、図３に示すように、法人（会社）がユーザとなり、その構成員がこのシステムを利用することもできる。この場合、インターネット上でアドバイザからアドバイスを受けることができるので、たとえば、上述の処理を会社内で行う場合に比べて低コストで実現することができる。
【００４３】
以上、本発明の好適な実施の形態を説明したが、これは本発明の説明のための例示であって、本発明の範囲をこの実施例にのみ限定する趣旨ではない。本発明は、他の種々の形態でも実施することが可能である。
【００４４】
【発明の効果】
以上説明したとおり、本発明の目標達成支援システムによれば、ユーザが使用する情報処理端末とサーバとが接続され、通信ネットワーク環境下で前記ユーザが立てた目標を達成するための目標達成支援システムであって、前記サーバは、前記ユーザのユーザ登録を行うユーザ登録部と、前記ユーザ登録部に登録されたユーザの個人情報を記憶するユーザ情報データベースと、前記ユーザの前記目標の作成およびその達成を支援する目標達成支援部と、を備えるようにしたので、また、ユーザが所持するユーザ端末を用いてサーバにアクセスし前記サーバの前記ユーザ専用のホームページ上で自己の目標を作成する目標作成ステップと、前記作成した目標を前記ユーザの潜在意識に浸透させそれを活性化させるためのプログラムを作成する潜在意識活性化プログラム作成ステップと、前記作成された潜在意識活性化プログラムを前記ユーザの前記ユーザ端末にダウンロードして壁紙および／あるいはスクリーンセイバーとして設定する壁紙・スクリーンセイバー設定ステップと、を備えるようにしたので、ユーザが通信ネットワーク環境下で目標を立てることができ、またその際にアドバイザーからの適切なアドバイスを受けることができ、更には、作成した目標をユーザ端末にダウンロードしてサブリミナル効果を利用しながら表示させるようにし、必要に応じて目標を達成するまでに生じる様々な問題を解決するためにシステム側でユーザがサポートされるので、ユーザの目標達成の意志・意欲を長期間持続させることができる。その結果、ユーザが設定した目標の達成を支援させることができる。
【図面の簡単な説明】
【図１】本発明の実施の形態による目標達成支援システムの全体構成を示すブロック図である。
【図２】システム運用サーバの構成を示す図である。
【図３】本システムを利用するための利用申込メニュー画面の構成例を示す図である。
【図４】ユーザ登録要求メニュー画面の構成例を示す図である。
【図５】ユーザ登録用画面の構成例を示す図である。
【図６】各ユーザに送信される申込確認通知の電子メール画面の構成例を示す図である。
【図７】このシステムのサービスを利用するためのユーザＩＤを表示した画面構成例を示す図である。
【図８】電子メールでユーザに通知されるユーザＩＤを表示した画面構成例を示す図である。
【図９】本システムによるサービスを受けるためのログイン画面の画面構成例を示す図である。
【図１０】目標達成支援部のメニュー画面の画面構成例を示す図である。
【図１１】目標作成部における▲１▼「生涯幸福設計シート」の作成手順を示す図である。
【図１２】目標作成部における▲２▼「ビジュアライズ」の作成手順を示す図である。
【図１３】３ＫＭ診断部における▲３▼「３ＫＭ診断」においてアドバイザーにアドバイスを受けるための利用方法を示す図である。
【図１４】入力されたアドバイザーへの質問等に対するアドバイザーからの診断結果の通知を示す図である。
【図１５】ユーザ情報ファイルに記録されているユーザの個人情報を示す図である。
【図１６】潜在意識活性化プログラム作成部の▲４▼「サブリミナル・スティミュレイター」で作成されたプログラムのユーザ端末へのインストールの操作手順を示す図である。
【図１７】インストールされたこのプログラムを起動させた際の画面構成例その概念図を示す図である。
【図１８】壁紙の設定方法を説明する図である。
【図１９】スクリーンセイバーの設定方法を説明する図である。
【符号の説明】
１００  通信ネットワーク
１０１〜１０ｎ    ユーザ端末
２０  システム運用サーバ
２１  ユーザ登録部
２２  ユーザ情報データベース
２２１〜２２ｎ      ユーザ情報ファイル
２３  目標達成支援部
２３１  目標作成部
２３２  ３ＫＭ診断部
２３３  潜在意識活性化プログラム作成部
【図１】
2004178260.tif 000003
【図２】
2004178260.tif 000004
【図３】
2004178260.tif 000005
【図４】
2004178260.tif 000006
【図５】
2004178260.tif 000007
【図６】
2004178260.tif 000008
【図７】
2004178260.tif 000009
【図８】
2004178260.tif 000010
【図９】
2004178260.tif 000011
【図１０】
2004178260.tif 000012
【図１１】
2004178260.tif 000013
【図１２】
2004178260.tif 000014
【図１３】
2004178260.tif 000015
【図１４】
2004178260.tif 000016
【図１５】
2004178260.tif 000017
【図１６】
2004178260.tif 000018
【図１７】
2004178260.tif 000019
【図１８】
2004178260.tif 000020
【図１９】
2004178260.tif 000021